【手続補正書】
【提出日】平成17年9月16日(2005.9.16)
【手続補正１】
【補正対象書類名】明細書
【補正対象項目名】請求項１
【補正方法】変更
【補正の内容】
【請求項１】  ケーシング内に、各々の位相のための固定の選択器接触子が設けられ、この選択器接触子がそれぞれ可動の選択器接触子によって切換え可能であり、このケーシング内に更に、各々の位相のための固定の予選択器接触子が設けられ、この予選択器接触子がそれぞれ１個の可動の予選択器接触子によって切換え可能であり、このケーシング内に更に、各々の位相のための固定のバイパス接触子が設けられ、このバイパス接触子がそれぞれ可動のバイパス接触子によって切換え可能であり、このケーシング内に更に、各々の位相のための真空切換セルが設けられ、この真空切換セルがそれぞれ蓄勢機構によって操作可能であり、別個の側方のケーシング部分内に、すべての可動接触子とすべての真空切換セルを適当な切換え順序で操作するための駆動機構が設けられている、真空切換セルを用いて中断しないで切換え開閉するためのリアクトル式切換原理による負荷時タップ切換器において、各々の位相のために分離されたすべての固定接触子（６，８，１０）とすべての可動接触子（７．１，７．２；９．１；１１．１，１１．２）とこの位相の真空切換セル（１２）が、１個の位相板（５）上に一緒に配置され、３本の絶縁軸（１３，１４，１５）がケーシング（１）を貫通して延びており、そして３枚の位相板（５）が貫通しており、第１の絶縁軸（１３）がすべての可動の選択器接触子（７．１，７．２）を操作し、第２の絶縁軸（１４）がすべての可動の予選択器接触子（９．１）を操作し、第３の絶縁軸（１５）がすべての可動のバイパス接触子（１１．１，１１．２）とすべての真空切換セル（１２）を操作し、駆動機構が１個のゼネバホイール（２９）を備え、このゼネバホイールが駆動軸（１９）に連結されたゼネバ機構（２３）によって駆動可能であり、かつ第１の絶縁軸に連結され、それによって各々の切換え時に、第１の絶縁軸（１３）が１つの切換えステップに相当する角度だけ回転可能であり、駆動機構が第２の絶縁軸（１４）に作用する第１の操作手段を備え、操作機構が第３の絶縁軸（１５）に作用する第２の操作手段を備えていることを特徴とする負荷時タップ切換器。
【手続補正２】
【補正対象書類名】明細書
【補正対象項目名】請求項２
【補正方法】変更
【補正の内容】
【請求項２】  第１の操作手段がゼネバホイール（２９）上のローラ（３０）と、対応するレバー（３１）を備え、ゼネバホイール（２９）の所定の位置のときにローラ（３０）がレバー（３１）の切込みに係合し、それによって回転方向に依存して第２の絶縁軸（１４）が所定の回転角度だけ揺動可能であることを特徴とする請求項１記載の負荷時タップ切換器。
【手続補正３】
【補正対象書類名】明細書
【補正対象項目名】請求項８
【補正方法】変更
【補正の内容】
【請求項８】  レリース輪郭（４０）が２個のカムによって形成されていることを特徴とする請求項６または７記載の負荷時タップ切換器。
【手続補正４】
【補正対象書類名】明細書
【補正対象項目名】請求項９
【補正方法】変更
【補正の内容】
【請求項９】  １個のゼネバホイール（２９）が機械式端位置制限部と協働し、この端位置制限部が１個のロックディスク（４６）を備え、このロックディスクが第１の絶縁軸（１３）上に、空間的にはゼネバホイール（２９）の範囲内にゼネバホイールとは関係なく自由に回転可能に配置され、ロックディスク（４６）が各々の側に連行体（４７，４８）を備え、連行体（４７）がケーシング（１）上の固定されたストッパー（４９）と協働し、他の連行体（４８）がゼネバホイール（２９）上の他の連行体（５０）と協働し、それによってゼネバホイール（２９）がそれぞれの回転方向において２回転することを特徴とする請求項１〜８のいずれか一つに記載の負荷時タップ切換器。
【手続補正５】
【補正対象書類名】明細書
【補正対象項目名】００１２
【補正方法】変更
【補正の内容】
【００１２】
本発明の負荷時タップ切換器は、伝動装置を１個だけ、特にゼネバ機構を１個だけしか必要としないという利点を有する。切換えられるすべての位相の選択器接触子、予選択器接触子、バイパス接触子および真空切換セルを操作するために必要なすべての運動、１個の伝動装置で発生し、別々の複数の絶縁軸を介して対応する要素に伝達されるので、機械的な手段が大幅に節約可能である。これは全体の構造を大幅に簡単化する。
【手続補正６】
【補正対象書類名】明細書
【補正対象項目名】００１５
【補正方法】変更
【補正の内容】
【００１５】
位相板５の左側には、適当な操作機構を備えた真空切換セル１２が設けられている。この真空切換セルについては後で詳しく説明する。
３個のすべての位相板はそれぞれ同一に形成されている。
伝動装置板２から３本の水平な絶縁軸１３，１４，１５が共通のケーシング１を通って案内されている。絶縁軸は３つすべての位相板５を通過している。そのために、この位相板にはそれぞれ穴１６，１７，１８が設けられている。第１の絶縁軸１３はそれぞれ位相板５の穴１６を通って案内され、接触子支持体７ひいては各々の位相の可動選択器接触子７．１，７．２に連結されている。図１において部分的に隠れた第２の絶縁軸１４はそれぞれ位相板５の穴１７を通って案内され、接触子支持体９ひいては各々の位相の可動選択器接触子９．１に連結されている。第３の絶縁軸１５はそれぞれ各位相板５の穴１８を通って案内され、接触子支持体１１ひいては可動のバイパス接触子１１．１，１１．２と、各位相の対応する真空切換セル１２に連結されている。第１の絶縁軸１３は固定の選択器接触子６を切換える各々の位相の可動の選択器接触子７．１，７．２を操作する。第２の絶縁軸１４は固定の予選択器接触子８を切換える各々の位相の可動の予選択器接触子９．１を操作する。第３の絶縁軸１５は固定のバイパス接触子１０を切換える各々の位相の可動のバイパス接触子１１．１，１１．２と、各々の位相の真空切換セル１２を操作する。
【手続補正７】
【補正対象書類名】明細書
【補正対象項目名】００１６
【補正方法】変更
【補正の内容】
【００１６】
絶縁軸１３，１４，１５自体は図１において左側に配置した１個のゼネバ機構と、伝動装置板２上に配置した他の部品によって一緒に操作される。
これについて次に詳しく説明する。
伝動装置板には、全部で３本の絶縁軸１３，１４，１５が互いに独立して、かつ空間的に分離して回転可能に支承されている。図示していない駆動装置から駆動軸１９が下方に向けてケーシング１内に案内されている。駆動軸１９の自由端には、第１の伝動歯車２０が設けられている。この伝動歯車はそれに対して垂直な第２の伝動歯車２１にかみ合っている。この第２の伝動歯車２１は伝動装置板２の軸受２２に軸承され、ゼネバ機構２３に固定連結されている。このゼネバ機構はその一端にローラ２４を備えている。第２の伝動歯車は同時に第３の伝動歯車２５にかみ合っている。この第３の伝動歯車自体は同様に、伝動装置板２の他の軸受５１に軸承されている。この第３の伝動歯車２５にはゆり腕２６が固定されている。このゆり腕は回転可能に枢着されたレバー２７に案内されている。このレバーの他方の自由端は他のゆり腕２８に回転可能に枢着されている。この他のゆり腕は絶縁軸１５に固定されている。それによって、それ自体公知のスライダクランク機構が形成されている。絶縁軸１３にはゼネバホイール２９が固定され、ゼネバホイール２９の凹部はゼネバ機構２３のローラ２４と協働する。ゼネバホイール２９には更に、１個の操作ローラ３０が設けられている。この操作ローラはゼネバホイール２９の所定の位置で、揺動可能なレバー３１に係合する。このレバーは絶縁軸１４に連結されている。
【手続補正８】
【補正対象書類名】明細書
【補正対象項目名】００２０
【補正方法】変更
【補正の内容】
【００２０】
所定の位置でレバー３１の切込みに係合する、ゼネバホイール２９上に設けたローラ３０により、レバーは所定の角度だけ揺動し、レバーと共に絶縁軸１４が揺動する。この絶縁軸は各々の位相の可動の予選択器接触子９．１を操作する。すなわち、予選択器の操作はゼネバホイール２９が完全に回転した後で、ひいてはすべての固定の選択器接触子６が通過した後でのみ発生する。換言すると、ゼネバホイール２９は完全に回転することができる。その際、固定のすべての選択器接触子は予選択器を接続することなく通過し、そして予選択器が操作され、固定のすべての選択器接触子６が、予選択器を接続することなく再度同じ回転方向に通過することができる。同様に、予選択器の戻し切換えは他の回転方向に完全に回転した後で生じる。
【手続補正９】
【補正対象書類名】明細書
【補正対象項目名】００２８
【補正方法】変更
【補正の内容】
【００２８】
作用は次の通りである。
先ず最初に、連行体５０が連行体４８に当たるまで、ゼネバホイール２９は１回転だけ各々の方向に回転することが可能である。同じ方向に更に回転すると、ロックッディスク４６が一緒に回転させられる。ロックディスクが１回転だけ回転すると、連行体４７はストッパー４９に当たり、ロックディスク４６とゼネバホイール２９を保持する。このゼネバホイールはその後２回転すると、端位置に達する。反対方向に回転すると、上記経過が同様に繰り返される。浮動支承されたロックッディスク４６は両方向においてそれぞれゼネバホイール２９の２回転を許容し、その間すべての固定選択器接触子６を２回擦過する。１回は予選択器を接続して、１回は予選択器を接続しないで行われる。